(57)【要約】【課題】本発明は加湿機能付空気清浄装置に関するもので、加湿能力を向上させることができるものである。【解決手段】そしてこの目的を達成するために本発明は、吸気口１と排気口２を有する本体ケース３内に加湿手段を備え、吸気口１から本体ケース３内に吸気した空気を加湿フィルター４を介して排気口２へと送風する送風手段を設け、加湿フィルター枠５は外周部に給水部６を備え、この給水部６と加湿フィルター４の一部が水槽８に供給された水９に常時浸るように加湿フィルター枠５を設けると共に、加湿フィルター４は加湿フィルター枠５に風上側が凸形状となる円錐状に設けられ、回転手段によって加湿フィルター枠５を加湿フィルター４と共に回転させることにより加湿フィルター枠５の給水部６で水槽８から水９を汲み上げ加湿フィルター４外周部の風上側に給水し、加湿手段の上流側に空気清浄手段を設けたものである。【選択図】図１
2010117061.tif 000002
【特許請求の範囲】
【請求項１】
吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部と前記加湿フィルターの一部が前記水槽に供給された水に常時浸るように前記加湿フィルター枠を設けると共に、前記加湿フィルターは前記加湿フィルター枠に風上側が凸形状となる円錐状に設けられ、前記回転手段によって前記加湿フィルター枠を前記加湿フィルターと共に回転させることにより前記加湿フィルター枠の前記給水部で前記水槽から水を汲み上げ前記加湿フィルター外周部の風上側に給水する加湿装置。
【請求項２】
加湿フィルターは２枚の平面状の第１の層の間に第２の層を挟んだ３層構造であり、前記第２の層は前記第１の層に対し垂直方向の複数の糸により構成した請求項１記載の加湿装置。
【請求項３】
加湿手段の前記給水部は円環状に連結した複数の箱状の給水ケースと、この給水ケースには給水孔を備え、この給水孔は前記加湿フィルター枠が回転し最上点では前記加湿フィルター外周部の風上側の真上に位置する請求項１または２に記載の加湿装置。
【請求項４】
加湿手段の前記給水孔は、前記給水部の回転方向の下流側である前記給水ケースの仕切り面部の一部で形成した請求項１〜３のいずれかに記載の加湿装置。
【請求項５】
加湿手段の前記給水部の前記給水ケースの側面部に空気孔を設けた請求項１〜４のいずれかに記載の加湿装置。
【請求項６】
加湿手段の前記空気孔は、前記給水ケースの側面部の外周側寄りに設けた請求項１〜５のいずれかに記載の加湿装置。
【請求項７】
加湿手段の前記加湿フィルター枠は軸方向に２分割可能な請求項１〜６のいずれかに記載の加湿装置。
【請求項８】
加湿手段の前記給水部の前記給水孔は前記加湿フィルター枠が回転し最上点では前記加湿フィルター外周部の風上側および端面の真上に位置し、加湿フィルターを複数備えた請求項１〜２および４〜７のいずれかに記載の加湿装置。
【請求項９】
加湿手段の前記給水部の前記給水孔の縁部は前記加湿フィルター外周部の風上側および端面に接触した請求項１〜２および４〜８のいずれかに記載の加湿装置。
【請求項１０】
加湿手段の前記給水部の前記給水孔の風上側および風下側の縁部より中心方向に突出したフィルター押え部を備えた請求項１〜２および４〜９のいずれかに記載の加湿装置。
【請求項１１】
加湿手段の上流側に空気清浄手段を設けた請求項１〜１０のいずれかに記載の加湿空気清浄装置。
【発明の詳細な説明】
【技術分野】
【０００１】
本発明は、空気を加湿することのできる加湿装置、および空気を浄化しながら加湿することのできる加湿機能付空気清浄装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部の一部が前記水槽に供給された水に常時浸るように前記加湿フィルター枠を設けると共に、前記回転手段によって前記加湿フィルター枠を回転させることにより前記加湿フィルター枠の前記給水部で前記水槽から水を汲み上げ前記加湿フィルターに給水する構成となっていた。（例えば、これに類似する先行文献は下記特許文献１に記載されている。）
【特許文献１】特開２００５−２８２９８０号公報
【発明の開示】
【発明が解決しようとする課題】
【０００４】
上記従来例における課題は、加湿能力が低いということであった。
【０００５】
すなわち、従来の物においては、円板状の加湿フィルターの外周部端面より、給水部から水槽の水を汲み上げ給水していた。この加湿フィルターの外周部端面に給水された水は、加湿フィルター内を通りながら加湿フィルターの下部に流れ落ち、加湿フィルター全体に水を含ませ、この水を含んだ加湿フィルターに送風手段によって送風することによって、空気を加湿するものであった。
【０００６】
そこで、加湿能力を向上させる為、送風手段による風量を増加させ、水を含んだ加湿フィルターを通過する風量を多くすると、加湿フィルターの外周部端面に給水された水は、送風手段によって加湿フィルターに送風される空気により、加湿フィルター内を流れ落ちながら風下側の加湿フィルター面に流れ込むこととなる。つまり、加湿フィルターの外周部端面より加湿フィルター内を通りながら中央部に流れ落ちていく途中で、加湿フィルターの中央部に流れ込まずに、風下側の加湿フィルター面へ流れ込み、結果として加湿フィルター内全体に水を含ませることができず、風量を上げて加湿能力を向上させることが困難であった。
【０００７】
そこで本発明は、加湿能力の向上を目的とするものである。
【課題を解決するための手段】
【０００８】
そしてこの目的を達成するために本発明は、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部と前記加湿フィルターの一部が前記水槽に供給された水に常時浸るように前記加湿フィルター枠を設けると共に、前記加湿フィルターは前記加湿フィルター枠に風上側が凸形状となる円錐状に設けられ、前記回転手段によって前記加湿フィルター枠を回転させることにより前記加湿フィルター枠の前記給水部で前記水槽から水を汲み上げ前記加湿フィルター外周部の風上側に給水し、加湿手段の上流側に空気清浄手段を設けたものであり、これにより、初期の目的を達成するものである。
【発明の効果】
【０００９】
以上のように本発明は、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部と前記加湿フィルターの一部が前記水槽に供給された水に常時浸るように前記加湿フィルター枠を設けると共に、前記加湿フィルターは前記加湿フィルター枠に風上側が凸形状となる円錐状に設けられ、前記回転手段によって前記加湿フィルター枠を回転させることにより前記加湿フィルター枠の前記給水部で前記水槽から水を汲み上げ前記加湿フィルター外周部の風上側に給水し、加湿手段の上流側に空気清浄手段を設けたものであり、加湿能力を高めることができるものである。
【００１０】
すなわち、加湿フィルターは給水部に風上側が凸形状となる円錐状に設けられ、加湿手段の給水部から加湿フィルター外周部の風上側に給水されるので、加湿フィルター外周部の風上側に給水された水は風上側の加湿フィルター面を伝いながら流れ落ちる。この風上側の加湿フィルター面を流れ落ちる水は、送風手段によって送風される空気によって、加湿フィルター内へ流れ込むこととなる。
【００１１】
つまり、加湿フィルターに給水された水は、重力によって加湿フィルターの風上側面を流れ落ちると共に、風力によって加湿フィルター内へ流れ込むので、一度加湿フィルター内の風上側を通り風下側の加湿フィルター面へ流れ込み加湿フィルター内全体に水を含ませることができることとなる。
【００１２】
これらの結果により、加湿能力を向上させることができるものである。
【発明を実施するための最良の形態】
【００１３】
以下、本実施形態を添付図面を用いて説明する。
【００１４】
（実施の形態１）
図１、図２、図３、図４および図５に示すように、本実施形態の加湿装置は、側面に吸気口１と天面に排気口２を有する本体ケース３と、この本体ケース３内に加湿手段を備えている。この加湿手段は放湿部分と水供給部分と、この放湿部分を回転させる回転手段とから形成されている。放湿部分は円板状の加湿フィルター４と、この加湿フィルター４を固定し回転自在に設けられた加湿フィルター枠５とから形成されており、加湿フィルター枠５は外周部に給水部６を備え、中央部に回転軸部７を備えている。水供給部分は、加湿フィルター４の下部に設けた略椀状の水槽８と、この水槽８に一定の水９を供給する水タンク（図示せず）とから形成されている。加湿フィルター４の下流側には、吸気口１から本体ケース３内に吸気した空気を加湿フィルター４を介して排気口２へと送風する送風ファン１０を備えている。
【００１５】
以上のような構成での加湿動作について説明する。加湿フィルター枠５の給水部６と加湿フィルター４の一部が水槽８に供給された水９に常時浸るように加湿フィルター枠５を設けており、その状態で加湿フィルター枠５を回転手段（図示せず）によって回転させる。その回転によって加湿フィルター枠５の給水部６で、水タンクから水槽８へ一定量供給された水９を汲み上げ、加湿フィルター４上部外周部に給水し、加湿フィルター４に水分を含ませる。そして送風ファン１０によって吸気口１から本体ケース３内に吸気した空気を加湿フィルター４へ送風することにより空気を加湿し、その加湿した空気を排気口２へと送風するものである。
【００１６】
本実施形態における特徴は、加湿手段における放湿部分の構造である。すなわち、加湿フィルター４は加湿フィルター枠５内で風上側が凸形状となる円錐状に設けられ、回転手段によって加湿フィルター枠５を回転させることにより加湿フィルター枠５の給水部６で水槽８から水９を汲み上げ加湿フィルター４上部外周部の風上側に給水することである。
【００１７】
なお、回転軸部７は加湿フィルター枠５の中央部の両側面から外側に延びており、この両側面の回転軸部の間には風下側回転軸部から加湿フィルター枠５の内側に延びたフィルター固定軸部１１を設けている。加湿フィルター４は、加湿フィルター枠５に装着すると、加湿フィルター枠５中央部のフィルター固定軸部１１によって、風上側が凸形状となる円錐状となる。
【００１８】
すなわち、加湿フィルター４は風上側が凸形状となる円錐状に設けられ、加湿手段の給水部から加湿フィルター４上部外周部の風上側に給水されるので、加湿フィルター４上部外周部の風上側に給水された水９は風上側の加湿フィルター面１２ａを伝いながら流れ落ちる。この風上側の加湿フィルター面１２ａを流れ落ちる水は、送風ファン１０によって送風される空気によって、加湿フィルター４内へ流れ込むこととなる。
【００１９】
つまり、加湿フィルター４に給水された水９は、重力によって風上側の加湿フィルター面１２ａを流れ落ちると共に、風力によって加湿フィルター４内へ流れ込むので、風量が多い場合でも、一度加湿フィルター４内を通り風下側の加湿フィルター面１２ｂへ流れ込むこととなり、結果として加湿フィルター４内全体に水を含ませることができることとなる。これらの結果により、加湿能力を向上させることができるものである。
【００２０】
また、加湿フィルター４について詳しく説明すると、加湿フィルター４は２枚の平面状の第１の層１３の間に第２の層１４を挟んだ３層構造であり、第２の層１４は第１の層１３に対し垂直方向の複数の糸により形成されている。つまり、第２の層１４は第１の層１３を繊維で連結した三次元構造体としたものである。
【００２１】
具体的には、平面状の第１の層１３の表面には互いに隣接した複数の開口部１５を設け、その開口部１５を円形状または多角形に形成したものである。２枚の平面状の第１の層１３である円形状または多角形の開口部１５の縁を第２の層１４である複数の糸により連結するので、この複数の糸により円形状または多角形の筒形状が形成される。
【００２２】
すなわち、加湿フィルター４に給水された水９は、重力によって風上側の加湿フィルター面１２ａである平面状の第１の層１３の表面である円形状または多角形の開口部１５の縁を伝って流れ落ちると共に、風力によって第１の層１３である円形状または多角形の開口部１５の縁を複数の糸により連結した第２の層１４に伝って加湿フィルター４内へ流れ込むので、一度加湿フィルター４内の第２の層１４を通り風下側の加湿フィルター面１２ｂへ流れ込むこととなり、結果として加湿フィルター４内の第２の層１４に水９を含ませることができることとなる。これらの結果により、加湿能力を向上させることができるものである。
【００２３】
また、加湿フィルター枠５について説明すると、加湿フィルター枠５の給水部６は円環状に連結した複数の箱状の給水ケース１６と、この給水ケース１６には給水孔１７を備え、この給水孔１７は前記加湿フィルター枠５が回転し最上点では加湿フィルター４外周部の風上側の真上に位置するものである。
【００２４】
具体的には加湿手段の放湿部分である加湿フィルター枠５は、外周部に複数の給水部６を備え、中央部に回転軸部７を備えている。そして、この給水部６と回転軸部７との間には円環状のギア（図示せず）を設けている。そこで、回転手段である電動機に設けられた歯車が回転し、その回転がギアに伝わり加湿フィルター枠５および加湿フィルター４を回転させるものである。このように加湿フィルター枠５が回転することにより、給水部６である円環状に連結した複数の横長箱状の給水ケース１６が回転する。そこで、まず、給水ケース１６が回転し最下点付近に来ると、水槽８の水９の中に入り、ここで、給水ケース１６の給水孔１７から給水ケース１６内に水９が入る。次に、給水ケース１６内に水９が入ったまま回転し、最上点付近に来ると、給水ケース１６の給水孔１７から給水ケース１６内から水９が滴下する。
【００２５】
すなわち、この給水孔１７は前記加湿フィルター枠５が回転し最上点では加湿フィルター４外周部の風上側の真上に位置しているので、確実に加湿フィルター４外周部の風上側の加湿フィルター４の平面状の第１の層１３に滴下する。この滴下した水は、重力によって加湿フィルター面である平面状の第１の層１３の表面である円形状または多角形の開口部１５の縁を伝って流れ落ちると共に、風力によって第１の層１３である円形状または多角形の開口部１５の縁を複数の糸により連結した第２の層１４に伝って加湿フィルター内へ流れ込むので、一度加湿フィルター内の第２の層１４を通り風下側の加湿フィルター面へ流れ込むこととなり、結果として加湿フィルター４内の第２の層１４に水を含ませることができることとなる。これらの結果により、加湿能力を向上させることができるものである。
【００２６】
また、加湿フィルター枠５の給水孔１７は、給水部６の回転方向の下流側である給水ケース１６の仕切り面部の一部で形成したものである。具体的には、給水部６は複数の横長箱状の給水ケース１６が円環状に連結し、隣り合った給水ケース１６の間には給水ケース１６の仕切り面部１８が存在する。つまり、この仕切り面部１８によって円環状の給水部６は複数の横長箱状の給水ケース１６にわけられている。ここで、給水孔１７は仕切り面部１８に沿って孔が開いた状態であり、この仕切り面部１８は給水ケース１６において給水部６の回転方向の下流側の位置するものである。
【００２７】
すなわち、給水ケース１６が給水ケース１６内に水９が入ったまま回転し、最上点付近を過ぎると、給水部６の回転方向の下流側である給水ケース１６の仕切り面部１８が下がり始める為、仕切り面部１８に水９が集まり、この仕切り面部１８に沿って給水ケース１６の給水孔１７から給水ケース１６内の水９が滴下することとなるので、給水ケース１６内の水９が給水ケース１６内に残るにくく、給水ケース１６内での水あかの発生を抑制できる。
【００２８】
また、加湿フィルター枠５の給水部６の給水ケース１６の側面部に空気孔１９を設けたものである。これにより、給水ケース１６の四角状の給水孔１７から給水ケース１６内の水９が滴下する場合に、空気孔１９から空気が入ることにより給水ケース１６内の水がより滴下し易くなるので、給水ケース１６内の水９が給水ケース１６内に残るにくいので、給水ケース１６内での水あかの発生を抑制できる。
【００２９】
また、加湿フィルター枠５の空気孔１９は、給水ケース１６の側面部の外周側寄りに設けたものである。これにより、給水ケース１６が給水ケース１６内に水９が入ったまま回転し、最上点付近に近づくと、給水ケース１６内の水９が給水ケース１６の給水孔１７に集まるが、その時に、空気孔１９が給水ケース１６の側面部の外周側寄りに位置するので、給水ケース１６内に水９が空気孔１９から滴下することを抑制できる。
【００３０】
また、加湿手段の加湿フィルター枠５は軸方向に２分割可能なものである。すなわち、２分割された加湿フィルター枠５内の加湿フィルター４を取り出すことが可能になり、加湿フィルター４単品での水洗い等のメンテナンスが可能となるため、加湿フィルター４に付着したスケールや異物の除去ができ、加湿性能を長期維持することができる。
【００３１】
また、加湿手段の上流側に空気清浄や脱臭手段を設けたものである。具体的には、吸気口１の近傍に空気清浄および脱臭手段である空気清浄フィルター（図示せず）および脱臭フィルター（図示せず）を設けたものである。これにより、加湿手段に流れる前に、空気清浄および脱臭手段である空気清浄フィルターおよび脱臭フィルターで吸気口１から吸い込まれた空気を空気清浄および脱臭処理し、更に、その処理した空気を加湿手段によって加湿するので、加湿空気清浄装置を提供することが出来る。
【００３２】
（実施の形態２）
実施の形態２は図６に示すように、実施の形態１に対し、加湿手段の給水部６の給水孔１７は加湿フィルター４外周部の風上側および端面の真上に位置し、加湿フィルター４を複数備えた点が相違する。
【００３３】
具体的には加湿フィルター４を２枚重ね合わせた状態、つまり、風上側に設置する第１の加湿フィルター４ａと風下側に設置する第２の加湿フィルター４ｂとを、加湿フィルター枠５に風上側が凸形状となる円錐状に設けられ、回転手段によって加湿フィルター枠５を加湿フィルター４と共に回転させることにより加湿フィルター枠５の給水部６で水槽８から水９を汲み上げ加湿フィルター４上部外周部の風上側および端面に給水することである。
【００３４】
すなわち、加湿フィルター４は給水部６に風上側が凸形状となる円錐状に設けられ、加湿手段の給水部６から加湿フィルター４上部外周部の風上側および端面に給水される。
【００３５】
具体的には、まず、給水孔１７は前記加湿フィルター枠５が回転し最上点では加湿フィルター４外周部の風上側の真上に位置しているので、第１の加湿フィルター４ａ外周部の風上側の平面状の第１の層１３に滴下し、重力によって第１の加湿フィルター面である平面状の第１の層１３の表面である円形状または多角形の開口部１５の縁を伝って流れ落ちると共に、風力によって第１の層１３である円形状または多角形の開口部１５の縁を複数の糸により連結した第２の層１４に伝って加湿フィルター４内へ流れ込む水の一部は、更に、送風ファン１０によって送風される空気によって、第１の加湿フィルター４ａと第２の加湿フィルター４ｂとの間に流れ込む、そして、この水は、重力によって第１の加湿フィルター４ａと第２の加湿フィルター４ｂとの間の面である平面状の第１の層１３の表面である円形状または多角形の開口部１５の縁を伝って流れ落ちると共に、風力によって第２の加湿フィルター４ｂの第１の層１３である円形状または多角形の開口部１５の縁を複数の糸により連結した第２の層１４に伝って加湿フィルター４内へ流れ込むので、第１の加湿フィルター４ａおよび第２の加湿フィルター４ｂ内の第２の層１４を通り風下側の加湿フィルター４面へ流れ込むこととなり、結果として加湿フィルター４内の第２の層１４に水を含ませることができることとなる。
【００３６】
これらの結果により、加湿能力を向上させることができるものである。
【００３７】
また、加湿手段の給水部６の給水孔１７の縁部は加湿フィルター４外周部の風上側および端面に接触したものである。すなわち、風上側に設置する第１の加湿フィルター４ａと風下側に設置する第２の加湿フィルター４ｂとを、加湿フィルター枠５に風上側が凸形状となる円錐状に設けた場合に、第１の加湿フィルター４ａ風上側の第１の層１３、および第１の加湿フィルター４ａおよび第２の加湿フィルター４ｂの端面が、加湿手段の給水部６の給水孔１７の縁部に接触する。
【００３８】
これにより、加湿手段の給水部６の給水孔１７から水９が加湿フィルター４によって吸われるように流れ出るので、この給水孔１７で水の膜が出来難く、給水ケース１６内の水が給水ケース１６内に残るにくいので、給水ケース１６内での水あかの発生を抑制できる。
【００３９】
また、加湿手段の給水部６の給水孔１７の風上側および風下側の縁部より中心方向に突出したフィルター押え部２０を備えたものである。具体的には、フィルター押え部２０は風上側および風下側の縁部より中心方向に突出した平板形状である。このフィルター押え部２０により、加湿フィルター４表面との接触面積が増えるので、このフィルター押え部２０を伝って流れ落ちる水９を加湿フィルター４によって吸われるようにに流れ出るので、この給水孔１７で水の膜が出来難く、給水ケース１６内の水９が給水ケース１６内に残るにくいので、給水ケース１６内での水あかの発生を抑制できる。
【産業上の利用可能性】
【００４０】
以上のように本発明は、吸気口と排気口を有する本体ケースと、この本体ケース内に設けられた加湿手段を備え、この加湿手段は円板状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記吸気口から前記本体ケース内に吸気した空気を前記加湿フィルターを介して前記排気口へと送風する送風手段を設け、前記加湿フィルター枠は外周部に給水部を備え、この給水部と前記加湿フィルターの一部が前記水槽に供給された水に常時浸るように前記加湿フィルター枠を設けると共に、前記加湿フィルターは前記加湿フィルター枠に風上側が凸形状となる円錐状に設けられ、前記回転手段によって前記加湿フィルター枠を加湿フィルターと共に回転させることにより前記加湿フィルター枠の前記給水部で前記水槽から水を汲み上げ前記加湿フィルター外周部の風上側に給水し、加湿手段の上流側に空気清浄手段を設けたものであり、加湿能力を高めることができるものである。
【００４１】
すなわち、加湿フィルターは給水部に風上側が凸形状となる円錐状に設けられ、加湿手段の給水部から加湿フィルター外周部の風上側に給水されるので、加湿フィルター外周部の風上側に給水された水は風上側の加湿フィルター面を伝いながら流れ落ちる。この風上側の加湿フィルター面を流れ落ちる水は、送風手段によって送風される空気によって、加湿フィルター内へ流れ込むこととなる。
【００４２】
つまり、加湿フィルターに給水された水は、重力によって加湿フィルター面を流れ落ちると共に、風力によって加湿フィルター内へ流れ込むので、一度加湿フィルター内を通り風下側の加湿フィルター面へ流れ込むこととなり、結果として加湿フィルター内全体に水を含ませることができることとなる。
【００４３】
これらの結果により、加湿能力を向上させることができるものである。
【００４４】
従って、家庭用や事務所用などの、加湿装置および加湿機能付空気清浄装置として活用が期待されるものである。
【図面の簡単な説明】
【００４５】
【図１】本発明の実施の形態１の加湿機能付空気清浄装置の概略断面図
【図２】本発明の実施の形態１の加湿フィルターの概略図
【図３】本発明の実施の形態１の加湿フィルター枠の概略断面図
【図４】本発明の実施の形態１の加湿フィルター枠の概略断面図
【図５】本発明の実施の形態２の加湿フィルター枠の概略図
【図６】本発明の実施の形態２の加湿フィルター枠の概略断面図
【符号の説明】
【００４６】
１      吸気口
２      排気口
３      本体ケース
４      加湿フィルター
４ａ    第１の加湿フィルター
４ｂ    第２の加湿フィルター
５      加湿フィルター枠
６      給水部
７      回転軸部
８      水槽
９      水
１０    送風ファン
１１    フィルター固定軸部
１２ａ  風上側の加湿フィルター面
１２ｂ  風下側の加湿フィルター面
１３    第１の層
１４    第２の層
１５    開口部
１６    給水ケース
１７    給水孔
１８    仕切り面部
１９    空気孔
２０    フィルター押え部
【図１】
2010117061.tif 000003
【図２】
2010117061.tif 000004
【図３】
2010117061.tif 000005
【図４】
2010117061.tif 000006
【図５】
2010117061.tif 000007
【図６】
2010117061.tif 000008